(57)【特許請求の範囲】
【請求項１】
空気中の水を除去する除湿手段と、
前記除湿手段によって水が除去された空気を吹出口から吹き出させる送風手段と、
前記吹出口から空気が吹き出す方向へ可視光を照射する照射手段と、
を備え、
前記照射手段は、
可視光を発する光源と、
前記光源から発せられた可視光を集光するためのレンズと、
前記光源および前記レンズを収容するケースと、
を有し、
前記光源および前記レンズは、前記光源の光軸が前記レンズの光軸に一致するように配置され、
前記ケースには、前記光源の光軸が通る開口が形成され、且つ、当該開口を覆う被覆部材が設けられている除湿機。
【請求項２】
前記被覆部材には、前記光源の光軸を中心軸とする環状の第１領域と当該光軸を中心軸とする円状の第２領域が含まれ、
前記第２領域は、前記第１領域の内側に位置し、
前記第１領域は、可視光が透過可能な材料で形成されており、
前記第２領域の可視光線透過率は、前記第１領域の可視光線透過率よりも低い請求項１に記載の除湿機。
【請求項３】
空気中の水を除去する除湿手段と、
前記除湿手段によって水が除去された空気を吹出口から吹き出させる送風手段と、
前記吹出口から空気が吹き出す方向へ可視光を照射する照射手段と、
を備え、
前記照射手段は、可視光を発する光源と当該光源から発せられた可視光を集光するためのレンズとを有し、
前記光源および前記レンズは、前記光源の光軸が前記レンズの光軸に一致して且つ前記光源から前記レンズまでの距離が前記レンズの焦点距離に一致するように配置されている除湿機。
【請求項４】
前記照射手段は、前記光源から発せられた可視光が前記レンズを透過する量を調整するための絞りを有し、
前記絞りは、前記絞りの中心軸が前記光源の光軸に一致するように前記光源と前記レンズとの間に配置されている請求項３に記載の除湿機。
【請求項５】
前記照射手段によって照射された可視光が当たる領域は、前記吹出口から吹き出された空気が当たる領域に含まれる請求項３または請求項４に記載の除湿機。
【請求項６】
前記照射手段は、前記光源および前記レンズを収容するケースを有し、
前記ケースには、前記光源の光軸が通る開口が形成され、且つ、当該開口を覆う被覆部材が設けられている請求項３から請求項５の何れか１項に記載の除湿機。
【請求項７】
前記被覆部材には、前記光源の光軸を中心軸とした環状の第１領域と当該光軸を中心軸とした円状の第２領域が含まれ、
前記第２領域は、前記第１領域の内側に位置し、
前記第１領域は、可視光が透過可能な材料で形成されており、
前記第２領域の可視光線透過率は、前記第１領域の可視光線透過率よりも低い請求項６に記載の除湿機。
【請求項８】
前記吹出口から吹き出された空気が当たる対象物の表面温度を検出する表面温度検出手段と、
前記表面温度検出手段によって検出された表面温度に基づいて前記照射手段を制御する制御手段と、
を備える請求項１から請求項７の何れか１項に記載の除湿機。
【請求項９】
前記表面温度検出手段は、前記照射手段によって照射された可視光が当たる領域の表面温度を検出する請求項８に記載の除湿機。
【請求項１０】
前記照射手段を制御する制御手段を備え、
前記制御手段は、前記表面温度検出手段によって検出された表面温度が予め設定された条件を満たすと、前記照射手段に、照射している可視光が当たっている領域の照度の低下および可視光の照射の停止の少なくとも一方を実行させる請求項９に記載の除湿機。
【請求項１１】
前記表面温度検出手段は、前記光源および前記レンズよりも上方に配置されている請求項１０に記載の除湿機。
【発明の詳細な説明】
【技術分野】
【０００１】
本発明は、除湿機に関するものである。
【背景技術】
【０００２】
特許文献１に、乾燥した空気を吹き出す除湿機の一例として、発光体を有する衣類乾燥機が記載されている。特許文献１において発光体は、乾燥した空気が吹き出される方向に向けて光を照射する。これにより使用者は、乾燥した空気が吹き出される方向を認識することができる。
【先行技術文献】
【特許文献】
【０００３】
【特許文献１】日本特開２００８−１８８１８８号公報
【発明の概要】
【発明が解決しようとする課題】
【０００４】
上記の特許文献１において、発光体の詳細な構成は開示されていない。特許文献１には、発光体から照射された光を使用者に確実に視認させるための構成が記載されていない。【０００５】
本発明は、上記のような課題を解決するためになされたものである。本発明の目的は、使用者に、空気が吹き出される方向をより確実に視認させることができる除湿機を得ることである。
【課題を解決するための手段】
【０００６】
本発明に係る除湿機は、空気中の水を除去する除湿手段と、除湿手段によって水が除去された空気を吹出口から吹き出させる送風手段と、吹出口から空気が吹き出す方向へ可視光を照射する照射手段と、を備える。照射手段は、可視光を発する光源と、光源から発せられた可視光を集光するためのレンズと、光源およびレンズを収容するケースと、を有する。光源およびレンズは、光源の光軸がレンズの光軸に一致するように配置される。ケースには、光源の光軸が通る開口が形成され、且つ、当該開口を覆う被覆部材が設けられている。【０００７】
また、本発明に係る除湿機は、空気中の水を除去する除湿手段と、除湿手段によって水が除去された空気を吹出口から吹き出させる送風手段と、吹出口から空気が吹き出す方向へ可視光を照射する照射手段と、を備える。照射手段は、可視光を発する光源と当該光源から発せられた可視光を集光するためのレンズとを有する。光源およびレンズは、光源の光軸がレンズの光軸に一致して且つ光源からレンズまでの距離がレンズの焦点距離に一致するように配置されている。
【発明の効果】
【０００８】
本発明に係る除湿機は、吹出口から空気が吹き出す方向へ可視光を照射する照射手段を備える。照射手段は、可視光を発する光源と当該光源から発せられた可視光を集光するためのレンズとを有する。光源およびレンズは、光源の光軸がレンズの光軸に一致するように配置される。このため、本発明に係る除湿機は、空気が吹き出される方向をより確実に視認させることができる。
【図面の簡単な説明】
【０００９】
【図１】実施の形態１の除湿機の斜視図である。
【図２】実施の形態１の除湿機の正面図である。
【図３】実施の形態１の除湿機の側面図である。
【図４】実施の形態１の除湿機の縦断面図である。
【図５】実施の形態１の風向変更部の構成を示す断面図である。
【図６】実施の形態１の照射装置を正面から見た図である。
【図７】実施の形態１の照射装置の構造を示す断面図である。
【図８】実施の形態１の制御装置の機能を示すブロック図である。
【図９】実施の形態１の制御装置の構成の一例を示す図である。
【図１０】実施の形態１の固定集中モードの動作を示すフローチャートである。
【図１１】実施の形態１の動作時の除湿機を示す図である。
【発明を実施するための形態】
【００１０】
以下、添付の図面を参照して、実施の形態について説明する。各図における同一の符号は、同一の部分または相当する部分を示す。また、本開示では、重複する説明については適宜に簡略化または省略する。なお、本開示は、以下の実施の形態で説明する構成のうち、組み合わせ可能な構成のあらゆる組み合わせを含み得るものである。
【００１１】
実施の形態１．
図１は、実施の形態１の除湿機１００の斜視図である。図２は、実施の形態１の除湿機の正面図である。図３は、実施の形態１の除湿機１００の側面図である。図１、図２および図３は、除湿機１００の外観を示す図である。
【００１２】
ここで、図２における紙面上の上下方向を、除湿機１００の上下方向とする。また、図２における紙面の手前方向を、除湿機１００の前方向とする。図２における紙面の奥方向を除湿機１００の後方向とする。図２において、紙面上の左方向が除湿機１００の右方向に、紙面上の右方向が除湿機１００の左方向となる。
【００１３】
図３における紙面上の左右方向は、除湿機１００の前後方向である。また、図３における紙面上の上下方向は、除湿機１００の上下方向である。図３において、紙面の手前方向が除湿機１００の左方向に、紙面の奥方向が除湿機１００の右方向となる。
【００１４】
また、図４は、実施の形態１の除湿機１００の縦断面図である。図４は、図２におけるＡ−Ａ位置での断面を示す。図４は、除湿機１００の内部の構造を示す図である。図４における紙面上の上下左右方向は、図３における紙面上の上下左右方向に対応する。
【００１５】
除湿機１００は、筐体１を備える。筐体１は、除湿機１００の外殻となる部材である。筐体１は、例えば、自立可能な縦長の箱状の形状に形成される。除湿機１００は、車輪２を備えてもよい。車輪２は、例えば、筐体１の底に設けられる。この車輪２によって、除湿機１００は移動可能となる。
【００１６】
筐体１には、吸込口３が形成される。吸込口３は、筐体１の内部に空気を取り込むための開口である。吸込口３は、例えば、筐体１の後面に形成される。また、筐体１には、吹出口４が形成される。吹出口４は、筐体１の内部から外部に向かって空気を吹き出すための開口である。吹出口４は、例えば、筐体１の前面の上部に形成される。吹出口４の形状は、例えば、筐体１の左右方向に伸びる長方形状である。
【００１７】
筐体１の内部には、風路５が形成される。風路５は、吸込口３から吹出口４へ至る空間である。除湿機１００は、吹出手段の一例として、送風ファン６ａおよびファンモータ６を備える。送風ファン６ａは、風路５内に、吸込口３から吹出口４へと向かう気流を発生させるファンである。送風ファン６ａには、ファンモータ６が接続される。ファンモータ６は、送風ファン６ａを回転させるモータである。
【００１８】
送風ファン６ａおよびファンモータ６は、筐体１の内部に設けられる。送風ファン６ａは、風路５内に配置される。本実施の形態において風路５内には、送風ファン６ａによって、吸込口３から吹出口４へ向かって空気が流れる。本実施の形態では、送風ファン６ａによって、吹出口４から空気が吹き出される。ここで風路５において、吸込口３がある側を上流側、吹出口４がある側を下流側とする。送風ファン６ａによって空気は、風路５内を上流側から下流側へと向かって流れる。
【００１９】
除湿機１００は、空気中に含まれる水分を除去する除湿手段の一例として、除湿部７を備える。除湿部７は、空気中の水分を凝縮して排出する装置である。一例として除湿部７は、凝縮した水分を、液体の水として下方に滴下する。除湿部７は、空気中の水分の除去、すなわち空気の除湿を行う。除湿部７によって除湿された空気は、乾燥した空気となる。
【００２０】
除湿部７は、例えば、ヒートポンプ回路を利用した装置である。ヒートポンプ回路を利用した除湿部７は、蒸発器によって、空気中の水分を凝縮させる。なお、除湿部７は、デシカント方式の装置であってもよい。デシカント方式の除湿部７は、空気中の水分を吸着する吸着剤および熱交換器を有する。デシカント方式の除湿部７は、吸着剤によって吸着した水分を、熱交換器によって凝縮する。
【００２１】
除湿部７は、筐体１の内部に設けられる。除湿部７は、風路５内に配置される。除湿部７は、一例として、吸込口３と送風ファン６ａとの間に配置される。本実施の形態において除湿部７は、送風ファン６ａの上流側に配置される。本実施の形態において、吸込口３、除湿部７、送風ファン６ａおよび吹出口４は、上流側から下流側へ順に配置される。
【００２２】
本実施の形態の除湿機１００は、貯水部８を備える。貯水部８は、除湿部７によって排出された水を貯める。貯水部８は、例えば、上部が開口した容器状の部材である。貯水部８は、筐体１の内部で、除湿部７の下方に設けられる。貯水部８は、除湿部７から滴下された水を、上部の開口から受けて貯める。貯水部８は、筐体１に対して着脱可能であってもよい。
【００２３】
除湿機１００は、フィルター９を備えてもよい。フィルター９は、筐体１の内部に設けられる。フィルター９は、吸込口３を筐体１の内部から覆うように設けられる。フィルター９は、筐体１の内部への塵および埃の侵入を防止する。
【００２４】
また、本実施の形態の除湿機１００は、風向変更部１０を備える。図５は、実施の形態１の風向変更部１０の構成を示す断面図である。図５の紙面上の上下左右方向は、図２の紙面上の上下左右方向に対応する。図５は、図３におけるＢ−Ｂ位置での断面を示す。
【００２５】
風向変更部１０は、吹出口４から空気が吹き出される方向を決めるものである。吹出口４から空気が吹き出される方向を、以下、吹出方向と呼称する。風向変更部１０が動くことにより、吹出方向は変更される。風向変更部１０は、吹出口４の近傍に配置される。本実施の形態の風向変更部１０は、風向決定手段の一例である。
【００２６】
風向変更部１０は、図１および図５に示すように、第１変更部の一例として上下方向ルーバー１１を有する。上下方向ルーバー１１は、吹出口４の形状に合わせて形成される。本実施の形態の上下方向ルーバー１１は、左右方向に伸びる長方形状の枠状である。一例として、上下方向ルーバー１１は、図５に示すように、左右方向に伸びる板状の部材を３枚有する。本実施の形態の上下方向ルーバー１１は、左右方向に伸びる長方形状の開口を有する。上下方向ルーバー１１は、この開口の向きが上下に変更されるよう、回動可能に形成される。
【００２７】
風向変更部１０は、上下方向ルーバー１１を動かすための第１モータ１２を有する。第１モータ１２は、筐体１の内部に設けられる。第１モータ１２は、歯車１２ａ、歯車１２ｂおよび歯車１２ｃを介して、上下方向ルーバー１１を回動させる。上下方向ルーバー１１が回動すると、上下方向ルーバー１１の開口の向きは、上下方向に変更される。これにより、吹出方向が上下方向に変更される。
【００２８】
風向変更部１０は、図１および図５に示すように、第２変更部の一例として左右方向ルーバー１３を有する。左右方向ルーバー１３は、上下方向に伸びる板状の部材を有する。一例として、左右方向ルーバー１３は、上下方向に伸びる板状の部材を６枚有する。上下方向に伸びる６枚の板状の部材は、等間隔に配置される。左右方向ルーバー１３は、枠状の上下方向ルーバー１１の内側に配置される。左右方向ルーバー１３は、上下方向に沿った軸を介し、上下方向ルーバー１１に取り付けられる。左右方向ルーバー１３は、この上下方向に沿った軸を中心にして回動可能である。また、一例として上下方向ルーバー１１と左右方向ルーバー１３とは、上下方向ルーバー１１の左右方向の中央と左右方向ルーバー１３全体の左右方向の中央とが一致するように配置される。
【００２９】
風向変更部１０は左右方向ルーバー１３を動かすための第２モータ１４を有する。第２モータ１４は、筐体１の内部に設けられる。また、風向変更部１０は、リンク１５を有する。リンク１５は、左右方向ルーバー１３の後部に接続される。リンク１５は、第２モータ１４に接続される。左右方向ルーバー１３と第２モータ１４とは、リンク１５を介して接続される。第２モータ１４が駆動すると、リンク１５を介して左右方向ルーバー１３が回動する。左右方向ルーバー１３が回動することにより、吹出方向が左右方向に変更される。
【００３０】
リンク１５は、上下方向ルーバー１１と連動するように形成される。リンク１５は、上下方向ルーバー１１が動くと、上下方向ルーバー１１と共に動く。リンク１５が動くと、このリンク１５に接続された左右方向ルーバー１３も動く。すなわち、左右方向ルーバー１３は、上下方向ルーバー１１が動くと、この上下方向ルーバー１１と共に動く。左右方向ルーバー１３は、上下方向ルーバー１１が動く方向と同じ方向へ動く。
【００３１】
また、本実施の形態の除湿機１００は、照射装置１６を備える。この照射装置１６は、枠状の上下方向ルーバー１１の内側に配置される。一例として照射装置１６は、上下方向ルーバー１１の左右方向の中央の位置に配置される。
【００３２】
図６は、実施の形態１の照射装置１６を正面から見た図である。図７は、実施の形態１の照射装置１６の構造を示す断面図である。図７は、図６におけるＣ−Ｃ位置での断面を示す。本実施の形態では、図６の紙面の手前方向を、照射装置１６の正面方向とする。図６の紙面上の上下方向を、照射装置１６の上下方向とする。図７において、紙面上の左方向は照射装置１６の正面方向、紙面上の右方向は照射装置１６の背面方向である。図７の紙面上の上下方向は、照射装置１６の上下方向である。
【００３３】
照射装置１６は、ケース１７を有する。ケース１７は、照射装置１６の外枠を構成する。本実施の形態においてケース１７は、上ケース１７ａと下ケース１７ｂとを有する。上ケース１７ａの形状は、筒状である。上ケース１７ａは、開口を有する。下ケース１７ｂは、上ケース１７ａの開口を閉じる。下ケース１７ｂは、蓋状の部材である。上ケース１７ａと下ケース１７ｂとの内部には、部品を収容するための空間がある。なお、上ケース１７ａと下ケース１７ｂとは、一体的に形成されてもよい。また下ケース１７ｂは、上ケース１７ａに対して着脱自在であってもよい。ケース１７は、上下左右に回動可能に形成される。
【００３４】
一例としてケース１７は、上下方向ルーバー１１の左右方向の中央の位置で、リンク１５に接続される。ケース１７は、リンク１５を介して、左右方向ルーバー１３に接続される。なお、ケース１７は、リンク１５を介さず、左右方向ルーバー１３に直接接続されてもよい。
【００３５】
ケース１７は、当該ケース１７の正面方向が吹出方向を向くように設けられる。上述したように、ケース１７は、左右方向ルーバー１３に機械的に接続されている。ケース１７は、左右方向ルーバー１３と共に動く。ケース１７は、左右方向ルーバー１３が動く方向と同じ方向へ動く。上述したように、左右方向ルーバー１３は、上下方向ルーバー１１が動くと、この上下方向ルーバー１１と共に動く。すなわちケース１７は、上下方向ルーバー１１が動くと、この上下方向ルーバー１１および左右方向ルーバー１３と共に動く。このようにして、ケース１７の正面方向は、吹出方向が変更された場合においても、変更された後の吹出方向へ向く。
【００３６】
照射装置１６は、光源１９ａおよびレンズ１９ｂを有する。光源１９ａおよびレンズ１９ｂは、ケース１７の内部に収容される。レンズ１９ｂは、光源１９ａの前方に配置される。光源１９ａは、レンズ１９ｂの後方に配置される。換言すると、レンズ１９ｂは、光源１９ａの正面側に配置される。光源１９ａは、レンズ１９ｂの背面側に配置される。
【００３７】
本実施の形態のケース１７の正面側部分には、図７に示すように、照射窓４１が形成されている。照射窓４１は、ケース１７の内部から外部へ可視光を照射するための開口である。照射窓４１は、光源１９ａの光軸およびレンズ１９ｂの光軸が通る開口である。照射窓４１を正面側から見た形状は、例えば、円形である。
【００３８】
本実施の形態において、光源１９ａとレンズ１９ｂとは、当該光源１９ａの光軸がレンズ１９ｂの光軸に一致するように配置される。なお、光源１９ａの光軸とレンズ１９ｂの光軸とは完全に一致していなくてもよい。また、一例として照射窓４１は、光源１９ａの光軸およびレンズ１９ｂの光軸が当該照射窓４１の中心を通るように形成される。以下では、図７に示すように、光源１９ａの光軸およびレンズ１９ｂの光軸を軸線Ｌとも称する。
【００３９】
光源１９ａは、可視光を発するものである。光源１９ａは、例えば、ＬＥＤまたはレーザーダイオード等である。光源１９ａは、例えば、直径５ｍｍの砲弾形ＬＥＤである。一例として光源１９ａは、光度が１０００ｍｃｄ以上の可視光を発する。また、一例として光源１９ａは、緑色の可視光を発する。なお、光源１９ａが発する可視光の色は、例えば橙色等の緑色以外であってもよい。
【００４０】
レンズ１９ｂは、光源１９ａが発した可視光を集光するためのものである。レンズ１９ｂは、例えば、アクリル樹脂で形成された両凸レンズである。レンズ１９ｂの材質は、ポリカーボネイト樹脂またはガラスでもよい。また、レンズ１９ｂは、フレネルレンズでもよい。
【００４１】
ケース１７内には、光源１９ａとレンズ１９ｂとの間に空間が形成されている。光源１９ａが発した可視光は、この空間を介してレンズ１９ｂへ到達する。図７に示すように、光源１９ａの正面方向端部からレンズ１９ｂの中心までは、距離Ｆだけ離れている。この距離Ｆは、レンズ１９ｂの焦点距離と一致している。なお、距離Ｆとレンズ１９ｂの焦点距離とは、完全に一致していなくてもよい。本実施の形態において、光源１９ａおよびレンズ１９ｂは、光源１９ａからレンズ１９ｂまでの距離がレンズ１９ｂの焦点距離に一致するように配置されればよい。
【００４２】
レンズ１９ｂが両凸レンズである場合、当該レンズ１９ｂの焦点距離は、当該レンズ１９ｂの材質の屈折率と当該レンズ１９ｂの曲率半径と当該レンズ１９ｂの厚さとによって決まる。
【００４３】
光源１９ａが発した可視光は、レンズ１９ｂを通過することで集光される。レンズ１９ｂを介して集光された可視光は、容易に視認される状態となる。レンズ１９ｂによって集光された可視光は、照射窓４１を介して、ケース１７の外部へ照射される。光源１９ａおよびレンズ１９ｂは、レンズ１９ｂによって集光された可視光がケース１７の正面方向に照射されるように設けられる。レンズ１９ｂによって集光された可視光は、吹出方向へ照射される。
【００４４】
ここで、レンズ１９ｂによって集光された可視光が照射される領域を、照射領域３０とする。一例として光源１９ａおよびレンズ１９ｂは、筐体１から１ｍ離れた位置での照射領域３０が直径２００ｍｍの円となるように、配置および形成される。なお、照射領域３０の形状は、長方形状等であってもよい。
【００４５】
また、本実施の形態の照射装置１６は、図７に示すように、絞り１９ｃを有する。絞り１９ｃは、光源１９ａとレンズ１９ｂとの間に設けられる。絞り１９ｃは、光源１９ａから発せられた可視光がレンズ１９ｂを透過する量を調整するためのものである。照射領域３０の大きさは、この絞り１９ｃによって調整可能である。一例として絞り１９ｃの中心軸は、軸線Ｌに一致する。本実施の形態におけるケース１７、光源１９ａ、レンズ１９ｂおよび絞り１９ｃは、照射手段の一例である。
【００４６】
また、本実施の形態においてケース１７の正面部分には、樹脂シート４０が設けられる。樹脂シート４０は、樹脂製の板状の部材である。樹脂シート４０の材質は、例えば、ポリエステルである。樹脂シート４０の厚さは、例えば、０．２ｍｍである。樹脂シート４０は、照射窓４１を覆う。本実施の形態の樹脂シート４０は、被覆部材の一例である。正面視において、樹脂シート４０のうち、当該樹脂シート４０と照射窓４１とが重なっている部分は、透明である。本実施の形態においてレンズ１９ｂによって集光された可視光は、樹脂シート４０を透過して吹出方向へ照射される。
【００４７】
上述したように、ケース１７は、上下方向ルーバー１１および左右方向ルーバー１３と共に動く。ケース１７の正面方向は、吹出方向を向く。光源１９ａおよびレンズ１９ｂは、このケース１７に設けられている。光源１９ａおよびレンズ１９ｂは、ケース１７と共に動く。本実施の形態においてレンズ１９ｂによって集光された可視光は、吹出方向が変更された場合においても、変更された後の、吹出方向へ照射される。
【００４８】
また、本実施の形態の除湿機１００は、制御装置２０および操作部２１を備える。制御装置２０は、例えば、筐体１の内部に設けられる。また、操作部２１は、例えば、図１および図４に示すように、筐体１の上面の後面側に設けられる。制御装置２０と操作部２１とは、電気的に接続される。
【００４９】
制御装置２０は、除湿機１００に備えられる各機器に電気的に接続される。制御装置２０は、除湿機１００に備えられる各機器を制御する。本実施の形態の制御装置２０は、ファンモータ６、除湿部７、第１モータ１２、第２モータ１４および照射装置１６に電気的に接続される。本実施の形態の制御装置２０は、ファンモータ６、除湿部７、第１モータ１２、第２モータ１４および照射装置１６を制御する。
【００５０】
操作部２１は、使用者が除湿機１００を操作するためのものである。一例として操作部２１は、運転ボタン２１ａ、モード選択ボタン２１ｂ、設定ボタン２１ｃおよび操作キー２１ｄを有する。運転ボタン２１ａは、除湿機１００の運転を開始および停止させるためのものである。
【００５１】
モード選択ボタン２１ｂは、除湿機１００の運転モードを選択するためのものである。モード選択ボタン２１ｂは、使用者からの操作に応じた信号を、制御装置２０へ送信する。設定ボタン２１ｃは、除湿機１００の設定を行うためのものである。設定ボタン２１ｃは、使用者からの操作に応じた信号を、制御装置２０へ送信する。
【００５２】
操作キー２１ｄは、操作指示を送信する操作手段の一例である。操作キー２１ｄは、風向変更部１０を動かすためのものである。操作キー２１ｄは、例えば、十字キーである。操作キー２１ｄは、使用者からの操作に応じた操作指示を、制御装置２０へ送信する。制御装置２０は、操作指示を受信すると、受信した操作指示に基づいて動作する。なお、操作キー２１ｄは、十字キー以外のものでもよい。
【００５３】
図８は、実施の形態１の制御装置２０の機能を示すブロック図である。本実施の形態の制御装置２０は、動作制御部２０ａ、記憶部２０ｂおよび設定部２０ｄを有する。動作制御部２０ａは、除湿機１００に備えられた各機器を制御する制御手段の一例である。動作制御部２０ａは、操作キー２１ｄからの操作指示に基づいて、第１モータ１２および第２モータ１４を制御する。
【００５４】
制御装置２０が有する記憶部２０ｂは、記憶手段の一例である。記憶部２０ｂには、例えば、予め複数の運転モードが設定されている。動作制御部２０ａは、モード選択ボタン２１ｂからの信号に基づいて、記憶部２０ｂに設定された複数の運転モードの中から１つの運転モードの処理を実行する。動作制御部２０ａは、モード選択ボタン２１ｂからの信号に基づいて、ファンモータ６、除湿部７、第１モータ１２、第２モータ１４および照射装置１６を制御する。
【００５５】
本実施の形態の記憶部２０ｂには、複数の運転モードのうちの１つとして固定集中モードが記憶されている。固定集中モードは、除湿機１００によって少量の対象物を乾燥させる時に使用される運転モードである。この対象物には、例えば、靴および衣服３１等が含まれる。
【００５６】
設定部２０ｄは、設定ボタン２１ｃからの信号に応じて、記憶部２０ｂに設定方向を設定する。設定ボタン２１ｃは、照射装置１６によって可視光が照射されている時に押されると、設定部２０ｄへ信号を送信する。設定部２０ｄは、設定ボタン２１ｃから信号を受信すると、照射装置１６によって可視光が照射されている方向を設定方向として記憶部２０ｂに設定する。設定ボタン２１ｃおよび設定部２０ｄは、設定方向を設定する設定手段の一例である。
【００５７】
図９は、実施の形態１の制御装置２０の構成の一例を示す図である。制御装置２０の動作制御部２０ａ、記憶部２０ｂおよび設定部２０ｄの各機能は、例えば、処理回路により実現される。処理回路は、専用ハードウェア２００であってもよい。処理回路は、プロセッサ２０１およびメモリ２０２を備えていてもよい。処理回路の一部が専用ハードウェア２００として形成され、当該処理回路は更にプロセッサ２０１およびメモリ２０２を備えていてもよい。図９は、処理回路の一部が専用ハードウェア２００として形成され、当該処理回路がプロセッサ２０１およびメモリ２０２を備えている場合の例を示している。
【００５８】
一部が少なくとも１つの専用ハードウェア２００である処理回路には、例えば、単一回路、複合回路、プログラム化したプロセッサ、並列プログラム化したプロセッサ、ＡＳＩＣ、ＦＰＧＡ、またはこれらを組み合わせたものが該当する。
【００５９】
処理回路が少なくとも１つのプロセッサ２０１および少なくとも１つのメモリ２０２を備える場合、制御装置２０の動作制御部２０ａ、記憶部２０ｂおよび設定部２０ｄの各機能は、ソフトウェア、ファームウェア、またはソフトウェアとファームウェアとの組み合わせにより実現される。
【００６０】
ソフトウェアおよびファームウェアはプログラムとして記述され、メモリ２０２に格納される。プロセッサ２０１は、メモリ２０２に記憶されたプログラムを読み出して実行することにより、各部の機能を実現する。プロセッサ２０１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータあるいはＤＳＰともいう。メモリ２０２には、例えば、ＲＡＭ、ＲＯＭ、フラッシュメモリー、ＥＰＲＯＭおよびＥＥＰＲＯＭ等の不揮発性または揮発性の半導体メモリ、または磁気ディスク、フレキシブルディスク、光ディスク、コンパクトディスク、ミニディスクおよびＤＶＤ等が該当する。
【００６１】
このように、処理回路は、ハードウェア、ソフトウェア、ファームウェア、またはこれらの組み合わせによって、制御装置２０の動作制御部２０ａ、記憶部２０ｂおよび設定部２０ｄの各機能を実現することができる。なお、除湿機１００の構成は、単一の制御装置２０により動作が制御される構成に限定されるものではない。除湿機１００は、複数の装置が連携することにより動作が制御されるように構成されてもよい。
【００６２】
次に、本実施の形態の除湿機１００の動作の例について説明する。以下では、除湿機１００の動作の一例として、固定集中モードの動作について説明する。図１０は、実施の形態１の固定集中モードの動作を示すフローチャートである。また、図１１は、実施の形態１の動作時の除湿機１００を示す図である。
【００６３】
除湿機１００は、例えば室内で使用される。除湿機１００は、運転ボタン２１ａが押されることによって、運転を開始する。使用者によって押された運転ボタン２１ａは、動作制御部２０ａへ信号を送信する。動作制御部２０ａは、運転ボタン２１ａから信号を受信すると、ファンモータ６および除湿部７を駆動させる。
【００６４】
ファンモータ６が駆動すると、送風ファン６ａが回転する。送風ファン６ａは、気流を発生させる。送風ファン６ａが発生させた気流によって、図４に示すように、室内空気Ｐが吸込口３から筐体１の内部へ取り込まれる。室内空気Ｐは、除湿部７によって除湿されて、乾燥空気Ｑとなる。乾燥空気Ｑは、送風ファン６ａが発生させた気流によって、吹出口４から室内へ吹き出される。乾燥空気Ｑの吹出方向は、風向変更部１０によって決まる。上記のようにして、除湿機１００は運転を開始する（ステップＳ１０１）。
【００６５】
使用者は、運転ボタン２１ａによって除湿機１００の運転を開始させた後、モード選択ボタン２１ｂを操作する。上述した通り、本実施の形態において使用者は、固定集中モードを選択するものとする。動作制御部２０ａは、モード選択ボタン２１ｂからの信号に基づいて、記憶部２０ｂに設定された固定集中モードの処理を実行する（ステップＳ１０２）。
【００６６】
固定集中モードの処理が実行されると、光源１９ａは、可視光を発する。可視光は、レンズ１９ｂによって集光される。レンズ１９ｂによって集光された可視光は、乾燥空気Ｑの吹出方向へ照射される（ステップＳ１０３）。
【００６７】
図１１に示すように、乾燥空気Ｑの吹出方向へ照射された可視光は、照射領域３０を照らす。使用者は、照射領域３０を見ながら操作キー２１ｄを操作する。操作キー２１ｄは、使用者からの操作に基づいた操作指示を動作制御部２０ａへ送信する。動作制御部２０ａは、受信した操作指示に基づいて、第１モータ１２および第２モータ１４を制御する。これにより、上下方向ルーバー１１および左右方向ルーバー１３が動く。上下方向ルーバー１１および左右方向ルーバー１３が動くことにより、吹出方向が変更される。
【００６８】
上下方向ルーバー１１および左右方向ルーバー１３が動くと、照射装置１６も共に動く。照射装置１６は、変更された吹出方向へ光を照射するように動く。照射領域３０は、吹出方向の変更に合わせて動く（ステップＳ１０４）。使用者は、照射領域３０を見ながら、例えば図１１に示すように、予め設置しておいた衣服３１が可視光で照らされるように操作キー２１ｄを操作する。これにより、衣服３１に乾燥空気Ｑが集中する。
【００６９】
ここで使用者は、衣服３１が可視光によって照らされている状態で、設定ボタン２１ｃを押してもよい。使用者によって押された設定ボタン２１ｃは、設定部２０ｄへ信号を送信する。設定部２０ｄは、設定ボタン２１ｃから信号を受信すると、照射装置１６によって可視光が照射されている方向を設定方向として記憶部２０ｂに設定する。設定方向が記憶部２０ｂに設定されると、動作制御部２０ａは、吹出方向が設定方向へ固定されるように第１モータ１２および第２モータ１４を制御する（ステップＳ１０５）。
【００７０】
吹出方向が設定方向へ固定されると、乾燥空気Ｑは、設定方向へ一定時間吹き出され続ける。動作制御部２０ａは、送風方向が設定方向へ固定されてから一定時間が経過した時点でファンモータ６、除湿部７および照射装置１６を停止させる（ステップＳ１０６）。これにより、除湿機１００の運転が終了する。
【００７１】
上記の実施の形態において照射装置１６は、固定集中モードが選択されると可視光を照射する。照射装置１６は、除湿機１００の運転が開始すると同時に可視光の照射を開始してもよい。すなわち光源１９ａは、除湿機１００の運転が開始すると同時に可視光を発してもよい。また、光源１９ａは、設定ボタン２１ｃが押されたと同時に可視光を発し始めてもよい。
【００７２】
上記の実施の形態の除湿機１００の使用者は、照射領域３０を見ることによって、乾燥空気Ｑの吹出方向を容易に認識することができる。また使用者は、操作キー２１ｄによって乾燥空気Ｑの吹出方向を任意の方向へ容易に変更することができる。使用者は、乾かしたい衣服３１に向けて照射領域３０を動かすことによって、乾かしたい衣服３１の方向に乾燥空気Ｑの吹出方向を変更することができる。使用者は、除湿機１００に合わせて乾かしたい衣服３１を動かすことなく、予め干しておいた衣服３１を集中して乾燥させることができる。
【００７３】
除湿機１００の使用者は、設定ボタン２１ｃを操作することにより、任意の方向に乾燥空気Ｑを集中させることができる。乾燥空気Ｑは、衣服３１へ向かって無駄なく確実に送られる。これにより、乾燥させる必要のない物への送風による無駄な電気代が削減される。
【００７４】
上記の実施の形態において、光源１９ａおよびレンズ１９ｂは、光源１９ａの光軸がレンズ１９ｂの光軸に一致するように配置されている。これにより、照射領域３０は、輪郭がより明確でより明るい領域になる。上記の実施の形態の除湿機１００は、乾燥空気Ｑが吹き出される方向を、使用者に、より確実に視認させることができる。
【００７５】
上記の実施の形態において、光源１９ａおよびレンズ１９ｂは、光源１９ａからレンズ１９ｂまでの距離がレンズ１９ｂの焦点距離と一致するように配置されている。これにより、可視光は、除湿機１００からは直線的に照射される。このため、可視光が拡散して暗くなってしまうことが防止される。照射領域３０は、輪郭がより明確でより明るい領域になる。上記の実施の形態の除湿機１００は、乾燥空気Ｑが吹き出される方向を、使用者に、より確実に視認させることができる。また、上記の実施の形態であれば、照射領域３０の大きさの調整がより容易になる。
【００７６】
上記の実施の形態において、ケース１７の正面部分には、樹脂シート４０が設けられる。樹脂シート４０は、照射窓４１を覆う。これにより、ケース１７の内部に水等の異物が侵入することを防止できる。上記の実施の形態であれば、水等の異物による除湿機１００の動作への影響がない。
【００７７】
なお、樹脂シート４０には、図６に示すように、透明領域４０ａと不透明領域４０ｂとが設けられてもよい。透明領域４０ａは、可視光が透過可能な材料で形成される第１領域の一例である。不透明領域４０ｂは、第１領域に比べて可視光線透過率が低い第２領域の一例である。透明領域４０ａは、軸線Ｌを中心軸とした環状の領域である。不透明領域４０ｂは軸線Ｌを中心軸とした円状の領域である。不透明領域４０ｂは、透明領域４０ａの内側に位置する。正面視において、透明領域４０ａの外径Ｄ１は、不透明領域４０ｂの外径Ｄ２よりも大きい。外径Ｄ１は、例えば１０ｍｍである。外径Ｄ２は、例えば５ｍｍである。正面視において、不透明領域４０ｂは、光源１９ａと重なっている。これにより、使用者が照射装置１６の正面を覗き込んだ際に当該使用者が感じる眩しさが低減される。
【００７８】
上記の実施の形態において、光源１９ａとレンズ１９ｂとの間には、絞り１９ｃがある。これにより、照射領域３０の大きさを容易に調整することができる。
【００７９】
また、照射手段の一例であるケース１７、光源１９ａ、レンズ１９ｂおよび絞り１９ｃは、風向変更部１０から吹き出された乾燥空気Ｑが当たる領域に比べて照射領域３０が小さくなるように、配置および形成されてもよい。ケース１７、光源１９ａ、レンズ１９ｂおよび絞り１９ｃは、風向変更部１０から吹き出された乾燥空気Ｑが当たる領域に照射領域３０が含まれるように形成されてもよい。これにより、照射領域３０には、確実に乾燥空気Ｑが当たる。
【００８０】
上記の実施の形態によれば、乾燥空気Ｑの吹出方向をより容易に認識することができ、かつ乾燥空気Ｑの吹出方向を任意の方向へより容易に変更することができる除湿機１００が得られる。なお上記の実施の形態においては衣服３１を乾燥させる動作を一例として示したが、乾燥空気Ｑが吹き出される対象は衣服３１に限られない。除湿機１００は、浴室の壁および床等の、屋内の濡れた場所を乾燥する際にも使用できる。
【００８１】
次に、実施の形態１の除湿機１００の変形例について説明する。除湿機１００は、図１、図２、図５および図７に示すように、表面温度検出手段の一例として表面温度検出部１８を有してもよい。表面温度検出部１８は、対象領域の表面温度を、非接触の状態で検出する装置である。
【００８２】
表面温度検出部１８は、ケース１７の内部に設けられる。一例として、表面温度検出部１８は、光源１９ａおよびレンズ１９ｂよりも上方に設けられる。
【００８３】
ケース１７は、正面部分にセンサ窓４２を有してもよい。センサ窓４２は、赤外線の透過率が高い材料によって形成される。センサ窓４２は、例えば、ポリエチレン樹脂から成形される部品である。センサ窓４２は、水等の異物がケース１７内に侵入することを防止する。センサ窓４２は、吹出口４から吹き出された空気が当たる領域から放射される赤外線が透過するように、配置および形成される。吹出口４から吹き出された空気が当たる領域を、以下では吹出領域と呼称する。また、樹脂シート４０のうち、正面視においてセンサ窓４２と重なる部分には開口４０ｃが形成される。
【００８４】
表面温度検出部１８は、センサ窓４２の背面側に配置される。一例として、表面温度検出部１８には、熱起電力を利用したものが用いられる。表面温度検出部１８は、例えば、赤外線吸収膜およびサーミスタを有する。表面温度検出部１８の赤外線吸収膜は、センサ窓４２を透過する赤外線を吸収する。
【００８５】
赤外線吸収膜は、感熱部分を有する。赤外線吸収膜の感熱部分は、センサ窓４２を透過した赤外線を吸収することによって昇温する。赤外線吸収膜の感熱部分は、温接点となる。またサーミスタは、冷接点の一例である赤外線吸収膜の感熱部分ではない部位の温度を検出する。表面温度検出部１８は、上記の温接点と冷接点との温度差から、赤外線吸収膜に吸収された赤外線を発した領域、すなわち吹出領域の表面温度を検出する。
【００８６】
センサ窓４２および表面温度検出部１８は、表面温度検出部１８が表面温度を検出する対象領域を照射領域３０と一致させるように形成される。表面温度検出部１８が表面温度を検出する対象領域を照射領域３０とは、完全に一致していなくてもよい。例えば、表面温度検出部１８が表面温度を検出する対象領域を照射領域３０とは、大部分が重複する状態であってもよい。また、表面温度検出部１８が表面温度を検出する対象領域は、照射領域３０に含まれてもよい。表面温度検出部１８、照射領域３０の表面温度を検出してもよい。これにより、使用者が照射領域３０を見ながら設定した吹出方向における対象物の温度が、表面温度検出部１８によって検出可能になる。
【００８７】
制御装置２０は、図８に示すように、温度判定部２０ｃを有してもよい。また、制御装置２０は、表面温度検出部１８に接続されてもよい。温度判定部２０ｃの機能は、図９に示す処理回路により実現される。表面温度検出部１８は、検出した表面温度の情報を、電圧等の電気信号に変換する。表面温度検出部１８は、変換した電気信号を、制御装置２０へ出力する。制御装置２０の温度判定部２０ｃは、表面温度検出部１８からの電気信号に基づいて動作する。
【００８８】
温度判定部２０ｃは、表面温度検出部１８によって出力された電気信号に基づいて、表面温度の判定を行う。本変形例において記憶部２０ｂには、表面温度の基準値の情報が記憶される。この基準値は、例えば、人の顔の温度に基づいて設定される。温度判定部２０ｃは、表面温度検出部１８からの電気信号に含まれる温度情報と記憶部２０ｂに記憶された基準値の情報とに基づいて、表面温度の判定を行う。温度判定部２０ｃは、照射領域の表面温度が、予め設定された条件を満たしているかの判定を行う。この条件は、例えば、人の顔に可視光が当たっている際に満たされる。この条件が満たされたと温度判定部２０ｃによって判定された場合、動作制御部２０ａは、光源１９ａに発光を停止させる。これにより、照射装置１６による可視光の照射が停止する。また、上記の条件が満たされたと温度判定部２０ｃによって判定された場合、動作制御部２０ａは、照射領域３０の照度を低下させるように照射装置１６を制御してもよい。これにより、使用者が感じる眩しさが低減される。
【００８９】
除湿機１００の高さは、一般的に、人の目線よりも低い。本変形例において、表面温度検出部１８は、照射装置１６の正面方向を向いている。また、表面温度検出部１８は、光源１９ａおよびレンズ１９ｂよりも上方に設けられる。これにより、表面温度検出部１８は、可視光が人の目に照射される前に人の顔の表面温度を検出することができる。本変形例であれば、明るい可視光が人の目に直接照射されてしまうことをより確実に防止できる。
【００９０】
なお、記憶部２０ｂに記憶される基準値は、洗濯物が乾燥したかどうかを判定するための温度として設定されてもよい。温度判定部２０ｃは、表面温度検出部１８からの電気信号に含まれる温度情報と記憶部２０ｂに記憶された基準値の情報とに基づいて、洗濯物が乾燥したかどうかを判定してもよい。除湿機１００は、洗濯物が乾燥したと判定された場合に運転を停止するように構成されてもよい。
【産業上の利用可能性】
【００９１】
本発明に係る除湿機は、例えば、任意の対象物を乾燥させるために利用される。
【符号の説明】
【００９２】
１  筐体、  ２  車輪、  ３  吸込口、  ４  吹出口、  ５  風路、  ６  ファンモータ、  ６ａ  送風ファン、  ７  除湿部、  ８  貯水部、  ９  フィルター、  １０  風向変更部、  １１  上下方向ルーバー、  １２  第１モータ、  １３  左右方向ルーバー、  １４  第２モータ、  １５  リンク、  １６  照射装置、  １７  ケース、  １７ａ  上ケース、  １７ｂ  下ケース、  １８  表面温度検出部、  １９ａ  光源、  １９ｂ  レンズ、  １９ｃ  絞り、  ２０  制御装置、  ２０ａ  動作制御部、  ２０ｂ  記憶部、  ２０ｃ  温度判定部、  ２０ｄ  設定部、  ２１  操作部、  ２１ａ  運転ボタン、  ２１ｂ  モード選択ボタン、  ２１ｃ  設定ボタン、  ２１ｄ  操作キー、  ３０  照射領域、  ３１  衣服、  ４０  樹脂シート、  ４０ａ  透明領域、  ４０ｂ  不透明領域、  ４０ｃ  開口、  ４１  照射窓、  ４２  センサ窓、  １００  除湿機、  ２００  専用ハードウェア、  ２０１  プロセッサ、  ２０２  メモリ
【図１】
0006702497.tif 000002
【図２】
0006702497.tif 000003
【図３】
0006702497.tif 000004
【図４】
0006702497.tif 000005
【図５】
0006702497.tif 000006
【図６】
0006702497.tif 000007
【図７】
0006702497.tif 000008
【図８】
0006702497.tif 000009
【図９】
0006702497.tif 000010
【図１０】
0006702497.tif 000011
【図１１】
0006702497.tif 000012